(57)【要約】      （修正有）【課題】  弁体のロック操作及びロック解除操作が容易で脱気作業時の操作性が良好な収納袋のワンタッチ式脱気弁を提供する。【解決手段】収納袋３に連通する弁開口１ａを有するベース１と、ベース１に嵌合するカバー２とを備え、カバー２に形成した凹状孔部２ａに、弁開口１ａを閉じた状態にロックするための戻しバネ付きのロックボタン５を遊嵌させ、弁開口１ａが開放された状態にて脱気用のノズルＮを凹状孔部２ａのまわりに形成した吸気開口２ｄを囲むように当接させて収納袋３内を脱気できるようにした収納袋のワンタッチ式脱気弁に、ロックボタン５の押し込み操作により、弁開口１ａを弁体８を介して閉止状態にロックするロック状態と、ロック状態を解除して弁開口１ａを開放するロック解除状態と、を交互に反復させるためのカム機構Ｃを設けている。【選択図】  図１
2006273410.tif 000002
【特許請求の範囲】
【請求項１】
収納袋（３）に連通する弁開口（１ａ）を有するベース（１）と、該ベース（１）に嵌合するカバー（２）とを備え、前記カバー（２）に形成した凹状孔部（２ａ）に、前記弁開口（１ａ）を閉じた状態にロックするための戻しバネ付きのロックボタン（５）を遊嵌させ、前記弁開口（１ａ）が開放された状態にて脱気用のノズル（Ｎ）を前記凹状孔部（２ａ）のまわりに形成した吸気開口（２ｄ）を囲むように当接させて前記収納袋（３）内を脱気できるようにした収納袋のワンタッチ式脱気弁であって、
前記ロックボタン（５）の押し込み操作により、前記弁開口（１ａ）を弁体（８）を介して閉止状態にロックするロック状態と、前記ロック状態を解除して前記弁開口（１ａ）を開放するロック解除状態と、を交互に反復させるためのカム機構（Ｃ）を設けたことを特徴とする収納袋のワンタッチ式脱気弁。
【請求項２】
前記弁体（８）は、前記ロックボタン（５）と前記弁開口（１ａ）の間に配設されて押えスプリング（１１）によって前記弁開口（１ａ）を閉じる方向に付勢され、かつ、前記ロックボタン（５）と前記弁体（８）の間に、ロックピン（１０）が介装され、該ロックピン（１０）と前記ロックボタン（５）に、前記カム機構（Ｃ）が形成されることを特徴とする請求項１に記載の収納袋のワンタッチ式脱気弁。
【請求項３】
前記ロック状態では、前記ロックボタン（５）を、少なくとも前記凹状孔部（２ａ）から外部に突出させないようにしたことを特徴とする請求項１又は２に記載の収納袋のワンタッチ式脱気弁。
【請求項４】
前記カバー（２）には、脱気用のノズル（Ｎ）の先端を前記ロックボタン（５）に当接させるためのガイド溝（２ｃ）が形成されていることを特徴とする請求項１乃至３の何れかに記載の収納袋のワンタッチ式脱気弁。
【請求項５】
前記カバー（２）には、脱気用のノズル（Ｎ）の先端を吸気開口（２ｄ）に対応させるためのガイド突起（２ｋ）が形成されていることを特徴とする請求項１乃至４の何れかに記載の収納袋のワンタッチ式脱気弁。
【請求項６】
前記収納袋（３）の開口縁部を、前記ベース（１）とカバー（２）の嵌合部（４）に挟持させることを特徴とする請求項１乃至５の何れかに記載の収納袋のワンタッチ式脱気弁。
【発明の詳細な説明】
【技術分野】
【０００１】
本発明は、布団や毛布等の寝具や衣服等を収納するための収納袋に設けられるワンタッチ式の脱気弁に関する。
【背景技術】
【０００２】
従来より、寝具や衣服等を押し入れやタンス等に収納、保管する際に、限られたスペースを有効に活用するため、収納物を収納袋内に収納した後、電気掃除機等を使用して袋体内の空気を排出（脱気）して収納袋をコンパクトに圧縮する作業が行われていた。このような作業は、旅行する際に身の回り品を袋内に収納する場合にも行われ、また、寝具類を取り扱う業者においても行われていた。
【０００３】
その脱気作業は、収納袋の開口部に設けられているファスナーを少しだけ開いて、その隙間から電気掃除機の吸気ノズルを差し込んで袋体内を脱気するように行われるが、その際に、吸気ノズルの先端に収納物が吸い付いて収納物を損傷することがあった。また、吸気ノズルが詰まって脱気が困難になることがあり、そのような時には、モータに大きな負荷が作用してトラブルが発生することもあった。
【０００４】
そこで、このような難点を解消するために、袋体内に連通する弁開口を備えた脱気弁を収納袋に取り付け、その脱気弁に電気掃除機の吸気ノズルを外部から当接させることで、袋体内を脱気できるようにした脱気弁付きの収納袋が提案されている（例えば、特許文献１参照）。この例では、袋体内を脱気した後、その脱気状態をロックするためのロック機構を設けている。
【０００５】
【特許文献１】特開２００４−３３８７８４号公報
【発明の開示】
【発明が解決しようとする課題】
【０００６】
上記従来例（特許文献１）では、袋体内の脱気状態をロックするためのロック機構が、蓋体の回動動作によって作動するように構成されている。即ち、蓋体の下面側には、この蓋体を一方向に回動操作すると弁板を下方に押圧して脱気孔の上端開口部を閉止状態にロック保持し、他方向に回動操作すると、ロック状態が解除されて上記弁板の上下動を許容するように構成したロック機構が設けられている。
【０００７】
従って、脱気作業の前にロック状態を解除するために、蓋体をわざわざ手動で回動させなければならず、また、脱気作業が終了した後、ロック状態とするために再び蓋体を逆方向に回動させなければならず、脱気作業時にロック機構を作動させるための手動による操作が煩瑣であった。
【０００８】
本発明は、このような実情に鑑みてなされ、弁体のロック操作及びロック解除操作が容易で脱気作業時の操作性が良好な収納袋のワンタッチ式脱気弁を提供することを目的とする。
【０００９】
また、上記従来例では、蓋体が収納袋から外部に突出した状態に設けられているため、例えば、収納袋を積み重ねて収納する際等には、蓋体に不用意に外力が作用しやすく、ロックが解除される方向に蓋体が回動されることが懸念される。そのような場合には、脱気孔を閉じている弁板が上下可動となるため、収納袋の脱気状態を安定に保持することができなくなる。さらに、脱気作業時に、電気掃除機の吸気ノズルをドーム型の蓋体の吸気用孔に対して安定な状態で当接させるための対策が施されておらず、作業性の改善が求められる。
【００１０】
そこで、本発明は、弁体のロックが容易に解除されないようにすること、及び、脱気作業時には、脱気用のノズルを蓋体の吸気用孔に安定な状態で当接させることができるようすることをも目的とする。
【課題を解決するための手段】
【００１１】
（１）本発明の収納袋のワンタッチ式脱気弁は、収納袋３に連通する弁開口１ａを有するベース１と、該ベース１に嵌合するカバー２とを備え、前記カバー２に形成した凹状孔部２ａに、前記弁開口１ａを閉じた状態にロックするための戻しバネ付きのロックボタン５を遊嵌させ、前記弁開口１ａが開放された状態にて脱気用のノズルＮを前記凹状孔部２ａのまわりに形成した吸気開口２ｄを囲むように当接させて前記収納袋３内を脱気できるようにした収納袋のワンタッチ式脱気弁であって、
前記ロックボタン５の押し込み操作により、前記弁開口１ａを弁体８を介して閉止状態にロックするロック状態と、前記ロック状態を解除して前記弁開口１ａを開放するロック解除状態と、を交互に反復させるためのカム機構Ｃを設けたことを特徴とする。
【００１２】
このような構成によれば、ロックボタン５の押し込み動作によりロック解除状態からロック状態に、また、ロック状態からロック解除状態へと交互に反復させることができるため、例えば、そのロックボタン５を脱気用のノズルＮの先端で押し込むことで、容易に操作できるため、（従来のように手動で蓋体等を回動させなくてもよいので）脱気作業時の操作性が向上する。
【００１３】
（２）このような収納袋のワンタッチ式脱気弁では、前記弁体８は、前記ロックボタン５と前記弁開口１ａの間に配設されて押えスプリング１１によって前記弁開口１ａを閉じる方向に付勢され、かつ、前記ロックボタン５と前記弁体８の間に、ロックピン１０が介装され、該ロックピン１０と前記ロックボタン５に、前記カム機構Ｃが形成されてもよい。このようにすれば、ロックボタン５の押し込み動作によってカム機構Ｃを作動させることができる。
【００１４】
（３）前記ロック状態では、前記ロックボタン５を、少なくとも前記凹状孔部２ａから外部に突出させないようにしてもよい。このようにすれば、ロックボタン５が不用意に押し込まれてロック状態が解除されるような不具合の発生を防ぐことができる。
【００１５】
（４）前記カバー２には、脱気用のノズルＮの先端を前記ロックボタン５に当接させるためのガイド溝２ｃが形成されてもよい。このようにすれば、脱気作業時にロック状態を解除する際に、ノズルＮの先端をロックボタン５に当接させやすくなりロックボタン５の押し込み操作が容易となる。また、ノズルＮの先端を吸気開口２ｄを囲むようにカバー２に当接させて収納袋３内を脱気する際に、ノズルＮの先端とガイド溝２ｃとの間に隙間が形成されるため、掃除機のモータに対する付加を軽減することができ、いわゆる詰まり現象により掃除機のモータの負荷が異常に上昇するようなトラブルの発生をなくすことができる。
【００１６】
（５）前記カバー２には、脱気用のノズルＮの先端を吸気開口２ｄに対応させるためのガイド突起２ｋが形成されていてもよい。このようにすれば、脱気作業時に、電気掃除機の吸気用のノズルＮをカバー２の吸気開口２ｄに対して安定な状態で当接させることができる。
【００１７】
（６）前記収納袋３の開口縁部を、前記ベース１とカバー２の嵌合部４に挟持させてもよい。このようにすれば、収納袋３に脱気弁を取り付ける際に、接着剤が不要となり、組み付け工程を簡素化することができる。
【発明の効果】
【００１８】
本発明に係る収納袋のワンタッチ式脱気弁は、ロックボタンの押し込み動作により、弁開口を閉止状態にロックするロック状態と、ロック状態を解除して弁開口を開放するロック解除状態と、を交互に反復させることができるので、例えば、そのロックボタンを脱気用のノズルの先端で押し込むことで容易に操作できるため、脱気作業時の操作性が向上する。
【００１９】
また、ロック状態では、ロックボタンを少なくとも前記凹状孔部から外部に突出させないようにすれば、ロックボタンが不用意に押し込まれてロック状態が解除されるような不具合の発生を防ぐことができる。そして、脱気用のノズルの先端をロックボタンに当接させるためのガイド溝を形成すれば、脱気作業時にロックボタンの押し込み動作を容易に行うことができ作業性が向上する。さらに、カバーに、脱気用のノズルの先端を吸気開口に対応させるためのガイド突起を形成すれば、脱気作業時にロックボタンの押し込み動作を容易に行うことができ作業性が向上する。
【発明を実施するための最良の形態】
【００２０】
以下に、本発明の最良の実施の形態に係る収納袋のワンタッチ式脱気弁について詳細に説明する。
図１は収納袋のワンタッチ式脱気弁の断面図、図２は分解対応図である。これらの図にて、符号１はベース、２は、ベース１に嵌合するカバー、３は収納袋で、その開口縁がベース１とカバー２の嵌合部４に挟持（挟着）されている。ベース１は、図３（ａ）〜（ｃ）に示すように、円板状に形成され、その中央に、収納袋３の内部に連通する弁開口１ａを有し、その底面には弁開口１ａから放射状にリブｒが形成され、ベース１が収納物に密着した状態になっても弁開口１ａに向けて空気を集約吸引できるようにしている。また、ベース１の上面には、カバー２との嵌合部４を構成する円弧状の係止部１ｂが形成されている。
【００２１】
カバー２は、図４（ａ）〜（ｄ）に示すように、円形ドーム状に形成され、その中央には凹状孔部２ａが形成され、その凹状孔部２ａには、弁開口１ａを閉じた状態にロックするためのロックボタン５（後述する）が遊嵌される。また、カバー２の下端内周には、ベース１との嵌合部４を構成する円弧状の係止部２ｂが内向きに形成されている。その凹状孔部２ａのまわりには、脱気用のノズルＮ（図８参照）の先端をロックボタン５に対応する状態に嵌合させるための円弧状のガイド溝２ｃが形成されている。また、凹状孔部２ａを囲むように４つの吸気開口２ｄが形成され、その吸気開口２ｄの外側には、電気掃除機の吸気用のノズルＮを吸気開口２ｄに対応させるための４つのガイド突起２ｋが形成されている。そして、凹状孔部２ａの内側には内孔２ｅが形成され、その内孔２ｅの内周面に３条の縦溝２ｆが１２０°の位相間隔をおいて形成されている。そして、その内孔２ｅの下端底面側には、図４（ｃ）（ｄ）に示すように、それぞれ一方向にのみ傾斜する複数の円弧状の傾斜面部２ｇ，２ｇが縦溝２ｆ，２ｆの間に２つづつ段違い状に連設状態に形成されている。
【００２２】
ロックボタン５は、図５（ａ）〜（ｃ）に示すように、円形状のヘッド５ａの中央部に下向きに筒状の軸部５ｂを突設してなり、その軸部５ｂには、軸方向に延びる３本縦リブ５ｃが１２０°の位相間隔をおいて形成され、その下端には下向きの山形状のカム５ｄが形成されている。その縦リブ５ｃが、カバー２の内孔２ｅに形成された３条の縦溝２ｆに摺動自在に遊嵌され、ロックボタン５がカバー２に対して相対的に回動することなく、その軸方向への移動が許容される。また、軸部５ｂの内側には、後述するロックピン１０を吊持状態に係止させる係止ピン５ｆがヘッド５ａと一体に下向きに突設されている。そして、ヘッド５ａと凹状孔部２ａの間には戻しバネ６が張設される（図１，２参照）。
【００２３】
ベース１に形成された弁開口１ａの内側にはブッシュ７が嵌装され、その弁開口１ａの外周縁上面に、弁開口１ａを閉止するための弁体８（図６（ａ）〜（ｃ）参照）がパッキン９を介して脱着自在に密着する。この弁体８とロックボタン５の間にはロックピン１０が介装され、ロックピン１０（及びロックボタン５）と弁体８の間には押えスプリング１１が張設される。弁体８は、底面側にパッキン９を嵌合させるための円周溝８ａを有して、カバー２の凹状孔部２ａを囲むように配設された４つの係止片２ｈ（図４（ｂ）（ｃ）参照）にその底部周縁を係止され、その係止位置と凹状孔部２ａの底面との間で上下方向の移動が許容される。
【００２４】
ロックピン１０には、図７（ａ）〜（ｄ）に示すように、ロックボタン５の軸部５ｂ内に遊嵌する軸部１０ｂが形成され、その軸部１０ｂのまわりには、ロックボタン５の軸部５ｂの下端に形成されたカム５ｄに対応するカムフォロワー１０ｄが１２０°の位相間隔をおいて３つ形成されている。そして、その軸部１０ｂの上端に形成された被係止孔１０ｆが、ロックボタン５の係止ピン５ｆに係止され、ロックピン１０がロックボタン５に対して、軸方向に若干の移動が許容される状態で一体化され、このカム５ｄとカムフォロワー１０ｄとで、弁体８を介して弁開口１ａを閉止状態にロックするロック状態と、そのロック状態を解除して弁開口１ａを開放するロック解除状態と、を交互に反復させるためのカム機構Ｃが構成される。
【００２５】
そのカム機構Ｃについて詳しく説明すると、ロックボタン５に形成されるカム５ｄは（図５（ａ）〜（ｃ）参照）、下向きの山形状部が円弧上に６つ連続して形成されるように構成される一方、ロックピン１０に形成されるカムフォロワー１０ｄは（図７（ａ）〜（ｄ）参照）、一方向にのみ傾斜する傾斜面を有する上向きの突状部を軸部１０ｂの半径方向に対して若干偏向させた状態で１２０°の位相間隔をおいて３つ等間隔に配設してなる。各カムフォロワー１０ｄの底部は円板状の底フランジ部１０ｅに一体化されており、その３つのカムフォロワー１０ｄが、カバー２の内孔２ｅに形成された３条の縦溝２ｆに摺動自在に遊嵌され、前記底フランジ部１０ｅが、カバー２の凹状孔部２ａの底面に当接してロックピン１０の上方への移動が規制される。他方、図４（ｃ）（ｄ）の拡大図に示すように、カバー２の内孔２ｅの下端底面には、それぞれ一方向にのみ傾斜する複数の円弧状の傾斜面部２ｇ，２ｇが縦溝２ｆの間に２つづつ段違い状に連設形成されている。なお、この縦溝２ｆもカムフォロワー１０ｄに対応して内孔２ｅの半径方向に対して若干偏向した状態に形成されている。
【００２６】
このような構成により、ロックボタン５が凹状孔部２ａと同一高さのロック解除位置（図８（ｃ）参照）から限度まで押し下げられると、カム５ｄの山形状部がカムフォロワー１０ｄの傾斜面に押し当てられるため、ロックピン１０は押し下げられ、３つのカムフォロワー１０ｄが、カバー２の内孔２ｅに形成された３条の縦溝２ｆから下方に離間した時点で一方向（図７（ａ）の状態にて右回り）に回動する。その後、ロックボタン５が離されると、戻しバネ６の弾発力によってロックボタン５は押し戻されるが、３つのカムフォロワー１０ｄの上端が、内孔２ｅの下端底面に形成されている傾斜面部２ｇ，２ｇ間に係止される。この状態では、ロックピン１０がカバー２の内孔２ｅよりも下方で係止されているため、ロック部材は、凹状孔部２ａ内に少し入り込んだロック位置（図１参照）に止まり、かつ、押えスプリング１１を介して弁体８が弁開口１ａの外周縁上面に強く押圧され弁開口１ａを閉止するロック状態となる。
【００２７】
このようなロック状態にて、ロックボタン５が再び限度まで押し込まれると、カム５ｄの山形状部がカムフォロワー１０ｄの傾斜面に押し当てられるため、ロックピン１０は押し下げられ、３つのカムフォロワー１０ｄの上端が、カバー２の内孔２ｅの下端に形成されている傾斜面部２ｇから下方に離間した時点で一方向（図７（ａ）の状態にて右回り）に回動する。その後、ロックボタン５が離されると戻しバネ６の弾発力によって初期位置（図８（ｃ）参照）に復帰すると共に、３つのカムフォロワー１０ｄの上端が、再び、内孔２ｅに形成されている３条の縦溝２ｆに遊嵌し、ロックピン１０が上方に引き上げられ（係止孔１０ｆが係止ピン５ｆに係止されているため）、底フランジ部１０ｅが、カバー２の凹状孔部２ａの底面に当接する位置で係止される。この状態では、ロックピン１０が内孔２ｅ内に引き込まれているため、弁体８が弁開口１ａの外周縁上面から離間自在となりロック解除状態となる。以上のようなロック状態とロック解除状態とが、ロックボタン５の押し込み動作によって反復される。
【００２８】
以上のように構成される収納袋のワンタッチ式脱気弁の一連の操作について図８（ａ）〜（ｄ）に基づいて説明する。まず、図８（ａ）の状態では、弁体８が弁開口１ａの外周縁上面に密着して弁開口１ａを閉じたロック状態となっている。このようなロック状態では、ロックボタン５は、カバー２の凹状孔部２ａ内に押し込まれたロック位置にあるため、たとえ、収納袋３が積み重ねて収納されてもロックボタン５が不用意に作動することはなく、安定なロック状態が保持される。この状態から収納袋３の脱気を行うには、まず、図８（ｂ）に示すように、電気掃除機の吸気用のノズルＮの先端を、カバー２のガイド溝２ｃに対応させてロックボタン５を押し込むことによって、ロック解除状態とする。従って、わざわざ手指でロックボタン５を押し込む煩わしさから開放される。
【００２９】
次いで、ロック解除状態となっている図８（ｃ）に示すように、カバー２の４つのガイド突起２ｋ内に吸気用のノズルＮの先端をガイド状態で当接させてノズルＮの先端で吸気開口２ｄを囲むようにして電気掃除機を作動させ、収納袋３内の脱気を行う。このように、４つのガイド突起２ｋ内に吸気用のノズルＮの先端をガイド状態で当接させることで、安定な状態で脱気することができる。また、脱気の際に、ノズルＮの先端とガイド溝２ｃとの間に隙間が形成されるため、掃除機のモータに対する付加を軽減することができ、いわゆる詰まり現象により掃除機のモータの負荷が異常に上昇するようなトラブルの発生をなくすことができる。脱気が完了したら、図８（ｄ）に示すように、指でロックボタン５を押し下げてロック状態とする。また、この時、電気掃除機の吸気用のノズルＮの先端を、カバー２のガイド溝２ｃに対応させてロックボタン５を押し込むようにしてもよい。
【００３０】
なお、本発明は、実施の形態に限定されることなく、発明の要旨を逸脱しない限りにおいて、適宜、必要に応じて、設計変更や改良等を行うのは自由であり、例えば、カバーの外形も適宜に変化させてよいし、脱気弁の収納袋への取付には、接着剤を使用してもよく、融着、溶着等で取り付けてもよい。
【図面の簡単な説明】
【００３１】
【図１】本発明の実施の形態に係る収納袋のワンタッチ式脱気弁のロック状態の断面図である。
【図２】同分解組み付け対応図である。
【図３】（ａ）は同ベースの平面図、（ｂ）は断面図、（ｃ）は底面図である。
【図４】（ａ）は同カバーの平面図、（ｂ）は断面図、（ｃ）は底面図、（ｄ）は（ｃ）の拡大図におけるＤ−Ｄ線矢視相当断面図である。
【図５】（ａ）は同ロックボタンの平面図、（ｂ）は断面図、（ｃ）は底面図である。
【図６】（ａ）は同弁体の平面図、（ｂ）は断面図、（ｃ）は底面図である。
【図７】（ａ）は同ロックピンの平面図、（ｂ）は断面図、（ｃ）は側面図、（ｄ）は底面図である。
【図８】（ａ）は同ロック状態の断面図、（ｂ）ロック解除状態の断面図、（ｃ）は脱気作業時の断面図、（ｄ）はロック状態とした時の断面図である。
【符号の説明】
【００３２】
１…ベース、１ａ…弁開口、２…カバー、２ａ…凹状孔部、２ｄ…吸気開口、２ｋ…ガイド突起、３…収納袋、４…嵌合部、５…ロックボタン、８…弁体、Ｃ…カム機構、１０…ロックピン、１１…押えスプリング
【図１】
2006273410.tif 000003
【図２】
2006273410.tif 000004
【図３】
2006273410.tif 000005
【図４】
2006273410.tif 000006
【図５】
2006273410.tif 000007
【図６】
2006273410.tif 000008
【図７】
2006273410.tif 000009
【図８】
2006273410.tif 000010